(57)【要約】【課題】粘着テープの着脱が容易に行え、コアレス型の粘着テープを使用する場合でも、その内周面を確実に保持でき、粘着テープの繰り出しを円滑に行うことができる粘着テープディスペンサを提供する。【解決手段】ロール状に巻回された粘着テープを保持する保持部材１０と、その保持部材１０を回転可能な状態で支持する本体２０とを備える粘着テープディスペンサであって、前記保持部材１０は、外周側に変位可能な保持部１２と、その保持部１２を外周側に付勢する付勢手段１３と、その付勢手段１３を介して保持部１２を変位させる変位機構とを備え。【選択図】図１
2007302349.tif 000002
【特許請求の範囲】
【請求項１】
ロール状に巻回された粘着テープを保持する保持部材と、その保持部材を回転可能な状態で支持する本体とを備える粘着テープディスペンサであって、
前記保持部材は、外周側に変位可能な保持部と、その保持部を外周側に付勢する付勢手段と、その付勢手段を介して前記保持部を変位させる変位機構とを備える粘着テープディスペンサ。
【請求項２】
前記保持部は円弧状の外周面を有しつつ、前記保持部材の外周に沿って配置され、前記付勢手段は前記保持部を付勢するバネで構成されている請求項１記載の粘着テープディスペンサ。
【請求項３】
前記保持部材は外側筒状体と内側筒状体とを備えると共に、前記変位機構は、その外側筒状体と内側筒状体とを相対回転させることで、前記付勢手段の付勢状態を変化させて前記保持部を変位させる機構である請求項１又は２に記載の粘着テープディスペンサ。
【請求項４】
前記保持部材は外側筒状体と内側筒状体とを備えると共に、前記変位機構は、その外側筒状体と内側筒状体との挿入状態を変化させることで、前記付勢手段の付勢状態を変化させて前記保持部を変位させる機構である請求項１又は２に記載の粘着テープディスペンサ。
【発明の詳細な説明】
【技術分野】
【０００１】
本発明は、ロール状に巻回された粘着テープの粘着テープディスペンサに関し、更に詳しくは、芯管を有しないコアレス型の粘着テープに好適に使用することができる粘着テープディスペンサに関する。
【背景技術】
【０００２】
従来、ロール状に巻回された粘着テープを保持する保持部材と、その保持部材を回転可能な状態で支持する本体と、その粘着テープの引き出し経路に沿って配置された切断刃とを備えてなる粘着テープディスペンサが知られている。また、ハンディタイプの粘着テープディスペンサとして、手に持った状態で粘着テープを紙等の被着体に貼り付けることのできる粘着テープディスペンサが知られている（例えば特許文献１参照）。更に、回転可能な保持部材の代わりに、粘着テープの遊嵌保持部が本体に形成されているものも存在する。
【０００３】
近年、粘着テープの廃棄物処理やリサイクルの問題を解消する目的で、紙製などの芯管を有しないコアレス型の粘着テープが、採用され始めている。しかし、このコアレス型の粘着テープでは、芯管が存在しないため、粘着テープ自体の剛性が低下し、変形が生じ易い。それゆえ、従来の粘着テープディスペンサにセットした場合、テープを繰り出して使用する際に、テープが変形して繰り出し状態が変化し、円滑な使用ができないという問題が生じた。
【０００４】
つまり、従来のディスペンサのうち、回転可能な保持部材を備えるものでは、粘着テープの内周面が、表面に凹凸等を有する保持部材に外嵌されて保持されるため、コアレス型の粘着テープの変形により、テープロールのゆがみや歪、緩みなどが生じやすくなり、円滑な使用ができなかった。また、粘着テープが遊嵌保持部に保持されるディスペンサ（例えば特許文献１参照）の場合、コアレス型の粘着テープの変形により、遊嵌保持部の表面との密着力が大きくなり、スムーズな繰り出しが行えないという問題があった。
【０００５】
一方、特許文献２には、コアレス型の粘着テープを保持する保持筒の外表面に、保持筒の径方向に膨張、収縮自在となるエアチューブを装着し、空気の注入によりコアレス型の粘着テープを確実に円筒体に保持することができる粘着テープ保持機構が提案されている。しかし、大型機械などではこのようなテープ保持の機構は有効であるが、簡易的な粘着テープディスペンサには、これらエア方式のエア供給系の適用は行い難く、また適用したとしてもコストが高くなるという問題点があった。
【０００６】
また、簡易的な保持方法として、保持部材の外径を奥行き方向に傾斜を持たせて、外形の小さい方向から使用する粘着テープを挿入し、保持ロールの外径と、使用テープの内径が合致する部分で粘着テープが保持されるという保持方法が、簡易ディスペンサなどで使用されている。
【０００７】
しかし、この構造では、保持部材表面の傾斜のため、例えばコアレス型の粘着テープをセットした場合に、テープ終末付近ではテープの繰り出し方向と、テープの保持部の方向がずれるため、テープの走行が不安定になるなどの問題点があった。
【０００８】
【特許文献１】特開昭５８−４７７５５号公報
【特許文献２】特開２００３−１９０８８７号公報
【発明の開示】
【発明が解決しようとする課題】
【０００９】
そこで、本発明の目的は、粘着テープの着脱が容易に行え、コアレス型の粘着テープを使用する場合でも、その内周面を確実に保持でき、粘着テープの繰り出しを円滑に行うことができる粘着テープディスペンサを提供することにある。
【課題を解決するための手段】
【００１０】
上記目的は、下記の如き本発明により達成できる。      
即ち、本発明の粘着テープディスペンサは、ロール状に巻回された粘着テープを保持する保持部材と、その保持部材を回転可能な状態で支持する本体とを備える粘着テープディスペンサであって、前記保持部材は、外周側に変位可能な保持部と、その保持部を外周側に付勢する付勢手段と、その付勢手段を介して前記保持部を変位させる変位機構とを備えることを特徴とする。
【００１１】
本発明の粘着テープディスペンサによると、外周側に変位可能な保持部を、付勢手段を介して変位させる変位機構を有するため、保持部が拡径・縮径することにより、粘着テープの着脱が容易に行える。また、付勢手段が介在するため、粘着テープの内周側から押圧力を付与できるので、コアレス型の粘着テープを使用する場合でも、その内周面を確実に保持でき、粘着テープの繰り出しを円滑に行うことができる。
【００１２】
上記において、前記保持部は円弧状の外周面を有しつつ、前記保持部材の外周に沿って配置され、前記付勢手段は前記保持部を付勢するバネで構成されていることが好ましい。円弧状の外周面を有する保持部が保持部材の外周に沿って配置されるため、粘着テープの内周面を円形状に保持できるため、コアレス型の粘着テープを使用する場合にも、より円滑に粘着テープの繰り出しを行うことができる。また、バネを介して内周面を押圧することができるため、押圧力の調節なども容易になる。
【００１３】
また、前記保持部材は外側筒状体と内側筒状体とを備えると共に、前記変位機構は、その外側筒状体と内側筒状体とを相対回転させることで、前記付勢手段の付勢状態を変化させて前記保持部を変位させる機構であることが好ましい。本発明における「外側筒状体」及び「内側筒状体」には、完全な筒を構成していないものも包含され、側壁によって支持固定される複数の立設片が間隔を開けて筒状に配置されるものも含まれる。
【００１４】
このように外側筒状体と内側筒状体とを相対回転させる機構により、外力を保持部材の全周に対して伝達することができ、また、簡易な構成によって、付勢手段の付勢状態を変化させて前記保持部を変位させることができる。
【００１５】
あるいは、前記保持部材は外側筒状体と内側筒状体とを備えると共に、前記変位機構は、その外側筒状体と内側筒状体との挿入状態を変化させることで、前記付勢手段の付勢状態を変化させて前記保持部を変位させる機構であることが好ましい。外側筒状体と内側筒状体との挿入状態を変化させる機構により、外力を保持部材の全周の任意の位置に付与することができ、また、簡易な構成によって、付勢手段の付勢状態を変化させて前記保持部を変位させることができる。
【発明を実施するための最良の形態】
【００１６】
以下、本発明の実施の形態について、図面を参照しながら説明する。図１は、本発明の粘着テープディスペンサの一例を示す斜視図であり、図２は、その変位機構の一例を示す要部断面図である。図１及び図２において、（ａ）は保持部が外周側に変位していない状態、（ｂ）は保持部が外周側に変位した状態をそれぞれ示している。
【００１７】
本発明の粘着テープディスペンサは、図１に示すように、ロール状に巻回された粘着テープ３０を保持する保持部材１０と、その保持部材１０を回転可能な状態で支持する本体２０とを備える。本体２０は、さらに切断部２１などを備えていてもよい。切断部２１は、例えば、切断刃を取付けたり、本体２０を成型する際に切断刃形状とすることができる。
【００１８】
保持部材１０を回転可能な状態で支持する構造としては、保持部材１０側に回転軸を有し、本体２０側に軸受け部を有する構造、又は、本体２０側に回転軸を有し、保持部材１０側に軸受け部を有する構造など、何れでもよい。
【００１９】
その際、本体２０に対して保持部材１０を着脱可能にするために、回転軸を伸縮可能にしたり、本体２０を分割構造にしてもよい。なお、着脱を容易にする構造としては、例えば図１に示すように、保持部材１０の回転軸１１を受け入れる案内溝２２を本体２０の両側に設け、粘着テープ３０の繰り出し時に回転軸１１が係止される軸受け部２３に案内溝２２が回転軸１１を案内する構造が好ましい。
【００２０】
本発明の粘着テープディスペンサは、図１〜図２に示すように、前記保持部材１０は、外周側に変位可能な保持部１２と、その保持部１２を外周側に付勢する付勢手段１３と、その付勢手段１３を介して保持部１２を変位させる変位機構とを備えている。本実施形態では、保持部１２が円弧状の外周面１２ａを有しつつ、保持部材１０の外周に沿って配置され、付勢手段１３は保持部１２を付勢するバネで構成されている例を示す。
【００２１】
変位機構としては、付勢手段１３を介して保持部１２を変位させるものであれば何れでもよいが、本実施形態では、図２に示すように、保持部材１０が外側筒状体１４と内側筒状体１５とを備えると共に、変位機構は、その外側筒状体１４と内側筒状体１５とを相対回転させることで、付勢手段１３の付勢状態を変化させて保持部１２を変位させる機構の例を示す。
【００２２】
この例において、外側筒状体１４と内側筒状体１５とは、同一軸心の周りに相対回転させることができるが、回転を制限するストッパ（図示省略）を設けることで、図２（ａ）又は（ｂ）の位置に容易に固定することができる。
【００２３】
外側筒状体１４には、付勢手段１３であるバネを挿通できる複数の開口１４ａが設けられている。開口１４ａの数（即ち付勢手段１３の数）は、付勢手段１３の支持力や保持部１２の大きさ等に応じて、適宜決定されるが、保持部１２当たりの開口１４ａの数としては、２〜６個が好ましい。
【００２４】
保持部１２には、例えば開口１４ａに対応する位置に突起１２ｂが設けられて、この突起１２ｂがバネに内嵌されることで、付勢手段１３の一端と保持部１２とが連結される。保持部１２に連結されたバネは、外側筒状体１４の開口１４ａに挿通（遊挿）される。その際、上記のように、突起１２ｂにバネを内嵌して連結する構造により、保持部１２との連結部でバネの方向が変わりにくくなるため、本実施形態において、保持部１２の変位をスムーズにおこない易くなる。
【００２５】
内側筒状体１５には、例えば開口１４ａに対応する間隔でバネ連結部１５ａが設けられて、このバネ連結部１５ａがバネに連結されることで、付勢手段１３の他端と内側筒状体１５とが連結される。内側筒状体１５のバネ連結部１５ａは、保持部１２と同様に突起をバネに内嵌する構造でもよいが、内側筒状体１５に対するバネの角度を変えやすくするため、バネの他端（バネ材）を挿入して引っかける孔を有する構造が好ましい。
【００２６】
上記のような保持部材１０に粘着テープ３０を装着して使用する場合、装着時には、図２（ａ）に示すように、保持部１２が外周側に変位していない状態にしておき、装着後に図２（ｂ）に示すように、保持部１２が外周側に変位した状態にして、使用する。
【００２７】
つまり、粘着テープ３０の装着時には、図２（ａ）に示すように、保持部１２の突起１２ｂと内側筒状体１５のバネ連結部１５ａとをずらした位置にすると、付勢手段１３であるバネは内周側に引き込まれて、保持部１２が内周側に変位した状態（縮径した状態）となる。
【００２８】
粘着テープ３０の装着後には、図２（ｂ）に示すように、保持部１２の突起１２ｂと内側筒状体１５のバネ連結部１５ａとがほぼ同一半径上に位置にすると、付勢手段１３であるバネは外周側に押し出されて、保持部１２が外周側に変位した状態（拡径した状態）となる。これによって、付勢手段１３であるバネにより、粘着テープ３０の内周面が押圧された状態となる。
【００２９】
本発明の粘着テープディスペンサは、芯管を有する粘着テープにも使用することができるが、芯管を有しないコアレス型の粘着テープに、より好適に使用することができる。
【００３０】
［他の実施形態］
以下、本発明の他の実施形態について説明する。
【００３１】
（１）前述の実施形態では、付勢手段としてコイルバネ（圧縮バネ）を用い、外側筒状体と内側筒状体とを相対回転させることで、付勢手段を進退させる例を示したが、本発明における付勢手段としては、図３（ａ）〜（ｂ）に示すように、板バネ、トーションバネ、竹の子バネ、なども使用することができる。また、バネに限らず、ゴム、発泡樹脂等の弾性体を使用することも可能である。また、姿勢手段の種類に応じて、種々の変位機構を採用することができる。
【００３２】
図３（ａ）に示す例では、内側筒状体１５の外周面に付勢手段１３である板バネが固着されており、板バネの自由端側に保持部１２が固着されている。なお、板バネの先端を円弧状に形成して保持部１２とすることも可能である。付勢手段１３は外側筒状体１４の開口１４ａに遊挿されており、その開口１４ａとほぼ同じ高さに、付勢手段１３の段部１３ａが設けられている。
【００３３】
図３（ａ）には、保持部１２が外周側に変位した状態が示されており、付勢手段１３が保持部１２を外周側に付勢することによって、粘着テープ３０の内周面が押圧された状態となる。外側筒状体１４を矢印の方向に回転させることにより、外側筒状体１４の傾斜端面１４ｂが、付勢手段１３を内周側に押し下げ、段部１３ａに外側筒状体１４が係合することにより、保持部１２が内周側に変位した状態となる。この状態では、保持部材１０が縮径しているため、粘着テープ３０を容易に外挿することができる。
【００３４】
図３（ｂ）に示す例では、内側筒状体１５の外周面のバネ連結部１５ａに、付勢手段１３であるトーションバネの一端が枢支されており、トーションバネの他端が保持部１２のバネ連結部１２ｃに枢支されている。また、トーションバネのコイル部１３ｂが、外側筒状体１４の突起１４ｃに遊挿されている。
【００３５】
図３（ｂ）には、保持部１２が外周側に変位した状態が示されており、付勢手段１３が保持部１２を外周側に付勢することによって、粘着テープ３０の内周面が押圧された状態となる。つまり、この状態では、トーションバネがより鈍角に開く方向に付勢力が生じている。一方、内側筒状体１５を矢印の方向に回転させることにより、トーションバネがより鈍角に開いて、その付勢力が開放され、最終的に保持部１２が内周側に変位した状態となる。この状態では、保持部材１０が縮径しているため、粘着テープ３０を容易に外挿することができる。
【００３６】
（２）前述の実施形態では、外側筒状体と内側筒状体とを相対回転させることで、付勢手段の付勢状態を変化させて保持部を変位させる変位機構を採用した例を示したが、図４（ａ）〜（ｃ）に示すように、外側筒状体１４と内側筒状体１５との挿入状態を変化させることで、付勢手段１３の付勢状態を変化させて保持部１２を変位させる変位機構を採用してもよい。なお、図４の（ａ）は粘着テープ３０の装着前の状態を示す斜視図であり、（ｂ）は内側筒状体１５を外側筒状体１４に挿入する前の状態を示す半断面正面図であり、（ｃ）は内側筒状体１５を外側筒状体１４に挿入した後の状態を示す半断面正面図である。
【００３７】
この実施形態では、図４（ａ）〜（ｃ）に示すように、外側筒状体１４には、付勢手段１３であるバネを挿通できる複数の開口１４ａが設けられている。開口１４ａの数（即ち付勢手段１３の数）は、付勢手段１３の支持力や保持部１２の大きさ等に応じて、適宜決定される。
【００３８】
保持部１２には、例えば開口１４ａに対応する位置に突起１２ｂが設けられて、この突起１２ｂがバネに内嵌されることで、付勢手段１３の一端と保持部１２とが連結される。保持部１２に連結されたバネは、外側筒状体１４の開口１４ａに挿通（遊挿）される。その際、突起１２ｂにバネを内嵌して連結する構造の代わりに、保持部１２に対するバネの角度を変えやすくするため、バネの他端（バネ材）を挿入して引っかける孔を有するバネ連結部を設けてもよい。
【００３９】
内側筒状体１５には、例えば開口１４ａに対応する間隔でバネ連結部１５ａが設けられて、このバネ連結部１５ａがバネに連結されることで、付勢手段１３の他端と内側筒状体１５とが連結される。内側筒状体１５のバネ連結部１５ａは、内側筒状体１５に対するバネの角度を変えやすくするため、バネの他端（バネ材）を挿入して引っかける孔を有する構造が好ましい。
【００４０】
外側筒状体１４と内側筒状体１５との挿入状態を円滑に変化させる上で、外側筒状体１４と内側筒状体１５とに各々設けられた挿入案内部１７や、外側筒状体１４に内挿可能な案内筒１６を設けるのが好ましい。更に、案内筒１６は、付勢手段１３との干渉を避けるために、切欠き１６ａを設けるのが好ましい。
【００４１】
上記のような保持部材１０に粘着テープ３０を装着して使用する場合、装着時には、図４（ｂ）に示すように、保持部１２が外周側に変位していない状態にしておき、装着後に図４（ｃ）に示すように、保持部１２が外周側に変位した状態にして、使用する。
【００４２】
つまり、粘着テープ３０の装着時には、図４（ｂ）に示すように、内側筒状体１５を外側筒状体１４に挿入する前の状態となり、保持部１２の突起１２ｂと内側筒状体１５のバネ連結部１５ａとがずれた位置となり、付勢手段１３であるバネは内周側に引き込まれて、保持部１２が内周側に変位した状態（縮径した状態）となる。
【００４３】
粘着テープ３０の装着後には、図４（ｃ）に示すように、保持部１２の突起１２ｂと内側筒状体１５のバネ連結部１５ａとがほぼ同一半径上に位置し、付勢手段１３であるバネは外周側に押し出されて、保持部１２が外周側に変位した状態（拡径した状態）となる。これによって、付勢手段１３であるバネにより、粘着テープ３０の内周面が押圧された状態となる。
【００４４】
この実施形態では、外側筒状体１４と内側筒状体１５とが離反する方向に付勢するための別の付勢手段１８を設けることがより好ましい。この付勢手段１８によって、外力のない状態では、保持部材１０が図４（ｂ）に示す状態となり、外力によって保持部材１０が図４（ｃ）に示す状態となり、その状態で本体２０に装着することで、図４（ｃ）に示す状態がほぼ維持される。これによってワンタッチ操作で片手で保持部材１０を操作して粘着テープ３０を装着することができる。
【００４５】
この場合においても、外側筒状体１４と内側筒状体１５とが、一定以上に離反しないように、離反を制限するストッパ（図示省略）を設けてもよい。
【００４６】
（３）上記（２）の実施形態では、コイルバネ（圧縮バネ）を用いる例を示したが、この実施形態においても、板バネ、トーションバネ、竹の子バネ、なども使用することができる。また、バネに限らず、ゴム、発泡樹脂等の弾性体を使用することも可能である。また、姿勢手段の種類に応じて、種々の変位機構を採用することができる。
【００４７】
（４）前述の実施形態では、保持部が円弧状の外周面を有しつつ、保持部材の外周に沿って配置される例を示したが、保持部が平面状の外周面を有するものや、これが間隔をおいて設けられているものでもよい。
【００４８】
（５）前述の実施形態では、保持部材は外側筒状体と内側筒状体とを備え、変位機構がその外側筒状体と内側筒状体との位置関係を変えることによって、付勢手段の付勢状態を変化させて保持部を変位させる例を示したが、内側筒状体の代わりに、放射状の部材などを使用したりすることも可能である。
【図面の簡単な説明】
【００４９】
【図１】本発明の粘着テープディスペンサの一例を示す斜視図
【図２】本発明の粘着テープディスペンサの変位機構の一例を示す要部断面図
【図３】本発明の粘着テープディスペンサの変位機構の他の例を示す要部断面図
【図４】本発明の粘着テープディスペンサの他の例を示す図
【符号の説明】
【００５０】
１０    保持部材
１２    保持部
１２ａ  外周面
１２ｂ  突起
１２ｃ  バネ連結部
１３    付勢手段
１３ａ  段部
１３ｂ  コイル部
１４    外側筒状体
１４ａ  開口
１４ｂ  傾斜端面
１４ｃ  突起
１５    内側筒状体
１５ａ  バネ連結部
１８    付勢手段
２０    本体
２１    切断部
３０    粘着テープ
【図１】
2007302349.tif 000003
【図２】
2007302349.tif 000004
【図３】
2007302349.tif 000005
【図４】
2007302349.tif 000006